(57)【要約】      （修正有）【課題】充電池を有する機器において、ユーザにとって適切な充電方式で充電する充電制御装置、充電制御方法及びプログラムを提供する。【解決手段】２次電池３４を有するスマートウォッチ１００は、スマートウォッチ１００の使用状態を取得する使用状態取得手段と、取得したスマートウォッチ１００の使用状態に基づいて、２次電池３４への充電方式を制御する充電制御手段と、を備える充電制御部３３を備える。【選択図】図２
2019004534.tif 000002
【特許請求の範囲】
【請求項１】
充電池を有する機器の使用状態を取得する使用状態取得手段と、
前記使用状態取得手段が取得した前記機器の使用状態に基づいて、前記充電池への充電方式を制御する充電制御手段と、
を備えたことを特徴とする充電制御装置。
【請求項２】
前記使用状態取得手段は、
前記充電池への充電開始時刻を取得する第１の時刻取得手段と、
前記機器のアラームに設定されているアラーム時刻を取得する第２の時刻取得手段と、を備え、
前記充電制御手段は、前記第１の時刻取得手段が取得した前記充電池への充電開始時刻から前記第２の時刻取得手段が取得したアラーム時刻までの時間に基づいて、前記充電池への充電方式を制御する、
ことを特徴とする請求項１に記載の充電制御装置。
【請求項３】
前記充電制御手段は、前記第１の時刻取得手段が取得した前記充電池への充電開始時刻から前記第２の時刻取得手段が取得したアラーム時刻までの時間が第１所定時間より短い場合、第１の充電方式で前記充電池を充電する、
ことを特徴とする請求項２に記載の充電制御装置。
【請求項４】
前記充電制御手段は、前記第１の時刻取得手段が取得した前記充電池への充電開始時刻から前記第２の時刻取得手段が取得したアラーム時刻までの時間が前記第１所定時間以上の場合、第２の充電方式で前記充電池を充電する、
ことを特徴とする請求項３に記載の充電制御装置。
【請求項５】
前記第１の充電方式は急速充電方式であり、
前記充電制御手段は、前記第１の時刻取得手段が取得した前記充電池への充電開始時刻から前記第２の時刻取得手段が取得したアラーム時刻までの時間が前記第１所定時間より短い場合、前記急速充電方式で前記充電池を充電する、
ことを特徴とする請求項３又は４に記載の充電制御装置。
【請求項６】
前記第２の充電方式は、満充電より小さい充電量の充電状態を保ち、その後、所定時刻に満充電とする充電方式であり、
前記充電制御手段は、前記第１の時刻取得手段が取得した前記充電池への充電開始時刻から前記第２の時刻取得手段が取得したアラーム時刻までの時間が前記第１所定時間以上の場合、満充電より小さい充電量の充電状態を保ち、その後、所定時刻に満充電となるように前記充電池を充電する、
ことを特徴とする請求項４に記載の充電制御装置。
【請求項７】
前記所定時刻は前記アラーム時刻であり、
前記充電制御手段は、前記第１の時刻取得手段が取得した前記充電池への充電開始時刻から前記第２の時刻取得手段が取得したアラーム時刻までの時間が前記第１所定時間以上の場合、満充電より小さい充電量の充電状態を保ち、その後、前記アラーム時刻に満充電となるように前記充電池を充電する、
ことを特徴とする請求項６に記載の充電制御装置。
【請求項８】
前記充電制御手段は、前記第１の時刻取得手段が取得した前記充電池への充電開始時刻から前記第２の時刻取得手段が取得したアラーム時刻までの時間が前記第１所定時間以上の場合、満充電より小さい充電量の充電状態を前記アラーム時刻の第２所定時間前までの時刻まで保ち、その後、前記アラーム時刻に満充電となるように前記充電池を充電する、
ことを特徴とする請求項７に記載の充電制御装置。
【請求項９】
前記充電制御手段は、前記第１の時刻取得手段が取得した前記充電池への充電開始時刻から前記第２の時刻取得手段が取得したアラーム時刻までの時間が前記第１所定時間以上の場合、満充電より小さい充電量まで前記充電池を充電し、前記アラーム時刻の第２所定時間前までの時刻まで充電を停止し、その後、前記アラーム時刻に満充電となるように前記充電池を充電する、
ことを特徴とする請求項８に記載の充電制御装置。
【請求項１０】
前記充電制御手段は、前記第１の時刻取得手段が取得した前記充電池への充電開始時刻から前記第２の時刻取得手段が取得したアラーム時刻までの時間が前記第１所定時間以上の場合、前記アラーム時刻の第２所定時間前までの時刻まで満充電より小さい充電量まで前記充電池を定電流で充電し、その後、前記アラーム時刻に満充電となるように前記充電池を充電する、
ことを特徴とする請求項８に記載の充電制御装置。
【請求項１１】
前記アラーム時刻は起床アラーム時刻である、
ことを特徴とする請求項２から１０のいずれか一項に記載の充電制御装置。
【請求項１２】
前記充電制御手段は、定電流で前記充電池を充電し、前記充電池の電池電圧が所定の定電圧になった場合に、満充電まで前記定電圧で前記充電池を充電する、
ことを特徴とする請求項１から１１のいずれか一項に記載の充電制御装置。
【請求項１３】
前記充電制御手段は、満充電後に前記定電圧を低下設定する、
ことを特徴とする請求項１２に記載の充電制御装置。
【請求項１４】
前記充電制御手段は、満充電後に充電を停止し、前記定電圧を低下設定する、
ことを特徴とする請求項１３に記載の充電制御装置。
【請求項１５】
前記充電制御手段は、前記定電圧を低下設定した後、前記充電池の電池電圧が前記低下設定した定電圧よりも低い第１の閾電圧になった場合に、前記定電流で前記充電池を再充電し、前記充電池の電池電圧が前記低下設定した定電圧になった場合に、満充電まで前記低下設定した定電圧で前記充電池を充電する、
ことを特徴とする請求項１３又は１４に記載の充電制御装置。
【請求項１６】
前記充電制御手段は、前記定電圧を低下設定した後、前記充電池の電池電圧が前記低下設定した定電圧よりも低い第１の閾電圧よりも高い第２の閾電圧になった場合に、前記低下設定した定電圧を前記定電圧に戻す、
ことを特徴とする請求項１３又は１４に記載の充電制御装置。
【請求項１７】
前記充電制御手段は、前記低下設定した定電圧を前記定電圧に戻した後、前記充電池の電池電圧が第１の閾電圧になった場合に、前記定電流で前記充電池を再充電し、前記充電池の電池電圧が前記定電圧になった場合に、満充電まで前記定電圧で前記充電池を充電する、
ことを特徴とする請求項１６に記載の充電制御装置。
【請求項１８】
前記第２の閾電圧は、前記定電圧より低く、且つ、前記低下設定した定電圧よりも高いことを特徴とする請求項１６又は１７に記載の充電制御装置。
【請求項１９】
充電池を有する機器の使用状態を取得する使用状態取得工程と、
前記使用状態取得工程が取得した前記機器の使用状態に基づいて、前記充電池への充電方式を制御する充電制御工程と、
を含むことを特徴とする充電制御方法。
【請求項２０】
コンピュータを、
充電池を有する機器の使用状態を取得する使用状態取得手段、
前記使用状態取得手段が取得した前記機器の使用状態に基づいて、前記充電池への充電方式を制御する充電制御手段、
として機能させることを特徴とするプログラム。
【発明の詳細な説明】
【技術分野】
【０００１】
本発明は、充電制御装置、充電制御方法及びプログラムに関する。
【背景技術】
【０００２】
従来、２次電池（充電池、バッテリ）を有する携帯機器を充電する充電方式として、通常充電と、通常充電よりも充電時間が短い急速充電と、が知られている。しかし、急速充電は、通常充電に比べて電池劣化を招いてしまう。
【０００３】
このため、携帯機器のバッテリの充電状態を示す端子電圧に応じて、急速充電と通常充電とを使い分ける充電制御方法が知られている（特許文献１参照）。
【先行技術文献】
【特許文献】
【０００４】
【特許文献１】特開平７−３２２５２３号公報
【発明の概要】
【発明が解決しようとする課題】
【０００５】
しかし、特許文献１に記載の充電制御方法では、通常充電と急速充電の使い分けは、必ずしもユーザにとって適切な使い分けではなかった。
【０００６】
本発明の課題は、充電池を有する機器において、ユーザにとって適切な充電方式で充電することである。
【課題を解決するための手段】
【０００７】
上記課題を解決するために、本発明の充電制御装置は、充電池を有する機器の使用状態を取得する使用状態取得手段と、前記使用状態取得手段が取得した前記機器の使用状態に基づいて、前記充電池への充電方式を制御する充電制御手段と、を備えたことを特徴とする。
【発明の効果】
【０００８】
本発明によれば、充電池を有する機器において、ユーザにとって適切な充電方式で充電できる。
【図面の簡単な説明】
【０００９】
【図１】（ａ）は、本発明の実施の形態のスマートウォッチの正面図である。（ｂ）は、第１表示部及び第２表示部の表示画面を示すスマートウォッチの正面図である。
【図２】スマートウォッチの機能構成を示すブロック図である。
【図３】第１の充電制御処理を示すフローチャートである。
【図４】第１の充電制御処理における予定時間が長く急速充電を行わない場合の経過時間に対する充電の状態を示す図である。
【図５】（ａ）は、第１の充電制御処理の満充電後の経過時間に対する電池電圧、電池電流及び温度を示す図である。（ｂ）は、従来の充電の満充電後の経過時間に対する電池電圧、電池電流及び温度を示す図である。
【図６】第２の充電制御処理を示すフローチャートである。
【図７】第２の充電制御処理における予定時間が長く急速充電を行わない場合の経過時間に対する充電の状態を示す図である。
【図８】第３の充電制御処理を示すフローチャートである。
【発明を実施するための形態】
【００１０】
以下、添付図面を参照して本発明に係る実施の形態及び変形例を順に詳細に説明する。なお、本発明は、図示例に限定されるものではない。
【００１１】
（実施の形態）
図１〜図４を参照して、本発明に係る実施の形態を説明する。先ず、図１、図２を参照して、本実施の形態の充電池を有する機器としてのスマートウォッチ１００の装置構成を説明する。図１（ａ）は、本実施の形態のスマートウォッチ１００の正面図である。図１（ｂ）は、第１表示部１２及び第２表示部２２の表示画面を示すスマートウォッチ１００の正面図である。
【００１２】
図１（ａ）に示すように、スマートウォッチ１００は、バンド２を用いて本体部１をユーザの腕に装着可能な腕装着型の情報処理装置である。スマートウォッチ１００の本体部１は、フレーム３、表示画面４、押しボタンスイッチＢ１などを備える。
【００１３】
フレーム３は、一の面に表示画面４を露出支持し、また、内部に後述の各種動作に係る機能構成を保持する。押しボタンスイッチＢ１は、押下されることで後述の休止モードから動作モードに復帰される。
【００１４】
表示画面４には、２枚の表示部が積層されている。図１（ｂ）に示すように、下部には、第１表示部１２（図２参照）の表示画面１２ａが設けられ、上部には、第２表示部２２（図２参照）の表示画面２２ａが設けられている。すなわち、図１（ａ）では、第１表示部１２により表示がなされ、第２表示部２２の表示画面２２ａが第１表示部１２による表示を透過させている状態を示している。
第２表示部２２の更に上部には、図示略のタッチセンサ（タッチパネル）が設けられてユーザ操作を受け付けることが可能となっている。フレーム３の側面には、押しボタンスイッチＢ１が設けられて、タッチセンサとともにユーザの操作を受付可能としている。
【００１５】
第１表示部１２は、ドットマトリクスによるカラー液晶表示画面を有し、ユーザの入力操作や各種プログラム動作などに応じて各種機能に係る種々の表示を切り替えて及び／又は並列に行う。
第２表示部２２は、第１表示部１２よりも低消費電力で簡略表示により時刻の表示が可能な表示画面を有し、例えば、セグメント方式による白黒液晶表示を行う。あるいは、第２表示部２２の表示画面２２ａには、メモリインピクセル液晶（ＭＩＰ液晶）が用いられても良いし、ＰＮ液晶（Polymer Network）などが用いられてもよい。また、第２表示部２２の表示画面２２ａは、所定の電圧を印加することで表示を一切行わせずに第１表示部１２の表示内容を上方に透過させることができる。
【００１６】
図２は、スマートウォッチ１００の機能構成を示すブロック図である。
スマートウォッチ１００は、メインマイコン１１と、第１表示部１２と、操作受付部１３と、無線通信コントローラ１４と、外部記憶部１５と、サブマイコン２１と、第２表示部２２と、計測部２３と、衛星電波受信モジュール２４と、スイッチ２５と、報知部２６と、ＰＭＩＣ（Power Management Integrated Circuit）３１と、外部電源端子３２と、充電制御装置（使用状態取得手段、第１の時刻取得手段、第２の時刻取得手段、充電制御手段）としての充電制御部３３と、充電池としての２次電池３４と、温度計測部３５などと、を備える。
【００１７】
メインマイコン１１は、メインＣＰＵ（Central Processing Unit）１１１と、ＲＡＭ（Random Access Memory）１１２と、記憶部１１３と、計時部１１４などとを備えたメインとなる制御部である。メインマイコン１１は、ＰＭＩＣ３１を介して電源からの電力供給を受けて、第１表示部１２、操作受付部１３、無線通信コントローラ１４及び外部記憶部１５などの各部の動作を制御する。
【００１８】
メインＣＰＵ１１１は、各種演算処理を行い、スマートウォッチ１００の通常の動作状態における動作を統括制御する。また、メインＣＰＵ１１１は、サブマイコン２１から衛星電波受信モジュール２４や計測部２３の計測データを取得して種々の処理（情報処理）を行う。
ＲＡＭ１１２は、メインＣＰＵ１１１に作業用のメモリ空間を提供し、一時データを記憶する。
【００１９】
記憶部１１３は、メインＣＰＵ１１１の実行する制御プログラム（各種アプリケーションプログラム（アプリ）を含む）や設定データなどを記憶するフラッシュメモリなどの不揮発性メモリである。記憶部１１３に記憶されるデータには、時刻表示を行うための時刻表示プログラムや、衛星電波受信モジュール２４による測位結果（測位情報）を利用するアプリなどのプログラム及び各種データなどが含まれる。
【００２０】
計時部１１４は、メインＣＰＵ１１１の制御に基づいて現在日時（時刻情報）を計数する。計時部１１４は、カウンタなどを有し、メインマイコン１１の動作クロック周波数に応じて後述のＲＴＣ２１４よりも高精度な日時の計数を行う。
【００２１】
メインＣＰＵ１１１は、動作の必要がない場合には一時的に動作が休止され得る。例えば、操作受付部１３により所定の命令が受け付けられた場合や、操作がなく所定時間経過した場合には、メインマイコン１１の動作全体が停止され、サブマイコン２１が動作する休止モードに遷移されるものとする。スマートウォッチ１００において、メインマイコン１１には、休止モードと動作モードとの２モードが用意されている。メインマイコン１１及びサブマイコン２１が動作するモードを動作モードとする。
【００２２】
上述の第１表示部１２は、主にメインマイコン１１（メインＣＰＵ１１１）の制御動作により表示動作がなされ、ここでは、メインマイコン１１の動作休止時には、併せて表示がオフされるが、限定的な表示内容については、サブマイコン２１（サブＣＰＵ２１１）による制御動作がなされることも可能とされてよい。
【００２３】
操作受付部１３は、上述のタッチセンサを含み、外部から（すなわちユーザ）の入力操作を受け付けて、操作内容を電気信号に変換してメインＣＰＵ１１１に出力する。タッチセンサへの入力操作があった場合にメインＣＰＵ１１１が休止している（スタンバイ状態である）場合には、この電気信号が動作再開信号となってメインＣＰＵ１１１の動作が再開される。
【００２４】
無線通信コントローラ１４は、外部の電子機器（外部装置）と無線通信を行うためのコントローラである。無線通信規格としては、特には限られないが、例えば、ブルートゥース（登録商標：Bluetooth）などの近距離無線通信や、無線ＬＡＮ（ＩＥＥＥ８０２．１１）などが挙げられる。メインマイコン１１（メインＣＰＵ１１１）は、無線通信コントローラ１４を介して外部から必要な情報やプログラム及びこれらの更新データなどを取得することができる。通信接続対象となる外部装置としては、例えば、スマートフォン、携帯電話、タブレット端末、ＰＤＡ（Personal Digital Assistant）や、アクセスポイントを介する外部サーバなどが挙げられる。
【００２５】
外部記憶部１５は、不揮発性の大容量ストレージであり、ナビゲーションや地図表示を行うための地図データなどを記憶する。この外部記憶部１５は、スマートウォッチ１００に内蔵されるものに限られず、フラッシュメモリなどの着脱可能な可搬型小型記憶媒体が取り付けられて設けられているものであってもよい。
【００２６】
サブマイコン２１は、サブＣＰＵ２１１と、ＲＡＭ２１２と、記憶部２１３と、ＲＴＣ２１４（リアルタイムクロック）と、バッファメモリ２１５などとを備える。サブマイコン２１は、ＰＭＩＣ３１を介して電源から電力供給を受けて動作する。また、サブマイコン２１は、第２表示部２２、計測部２３及び衛星電波受信モジュール２４の動作及びメインマイコン１１とのデータのやり取りを制御する。サブマイコン２１は、消費電力（通常の動作時及び最大時；主にＣＰＵのＴＤＰ（熱設計電力）や、これにＲＡＭの容量及び枚数などの影響を加えたものを基準とすることができる）が、メインマイコン１１の消費電力（それぞれ通常の動作時及び最大時）よりも小さく、継続的に行われる動作を比較的小さい電力消費で行うためのサブの制御部である。
【００２７】
サブＣＰＵ２１１は、各種演算処理を行い、サブマイコン２１の動作を制御する。サブＣＰＵ２１１は、メインＣＰＵ１１１よりも低消費電力（ＴＤＰなど）であって、これに伴ってメインＣＰＵ１１１よりも低能力であってよい。サブＣＰＵ２１１は、ＰＭＩＣ３１からの電力供給が不足していない限り、原則的に最低限の動作が維持される。なお、最低限の動作が所定の間隔で定期的に行われる場合には、当該所定の間隔で動作する期間以外の動作が休止されても（スタンバイ状態とされても）よい。
ＲＡＭ２１２は、サブＣＰＵ２１１に作業用のメモリ空間を提供し、一時データを記憶する。ＲＡＭ２１２は、サブＣＰＵ２１１が上述のように動作を間欠的に行う場合であっても、ＰＭＩＣ３１からの電力供給が正常に行われている限り、記憶データを保持する。
【００２８】
記憶部２１３は、サブＣＰＵ２１１の実行する制御プログラム（各種アプリケーションプログラム（アプリ）を含む）や設定データなどを記憶するフラッシュメモリなどの不揮発性メモリである。記憶部２１３に記憶されるプログラムには、サブマイコン２１において実行される時刻表示プログラムや衛星電波受信モジュール２４の測位制御プログラムが含まれる。
【００２９】
ＲＴＣ２１４は、日時（時刻情報）の計時動作を行う通常のものであり、上述のように、メインマイコン１１の計時部１１４による計時動作よりも精度が低いが一方で当該計時部１１４よりも計時動作に係る消費電力が小さく、メインマイコン１１の停止時やサブマイコン２１のスタンバイ時などでも継続的に日時の計数を行う。
【００３０】
バッファメモリ２１５は、衛星電波受信モジュール２４により取得された測位結果を一時的に記憶する揮発性メモリであり、ＤＲＡＭ（Dynamic RAM）などが用いられる。衛星電波受信モジュール２４により取得された測位結果は、一度バッファメモリ２１５に蓄えられ、適切なタイミングでメインマイコン１１に出力される。
【００３１】
第２表示部２２は、上述のように、第１表示部１２よりも消費電力が低く、また、表示動作時には、時刻の表示に用いられる。表示画面にＭＩＰ液晶が用いられる場合には、第２表示部２２は、サブＣＰＵ２１１の制御により表示内容の更新周波数を落とすことができる。
【００３２】
計測部２３は、スマートウォッチ１００の運動状態を示す物理量を計測するセンサを有する。計測部２３には、ここでは、加速度センサが含まれ、これに加えて方位センサ（地磁場センサ）や気圧センサ（高度センサとして用いられる）などが含まれてもよい。また、計測部２３は、スマートウォッチ１００の所定の姿勢、ここでは、ユーザがスマートウォッチ１００の表示画面を見やすいように腕を眼前に掲げた場合のスマートウォッチ１００の傾斜状態を検出する傾斜センサを有してもよい。
【００３３】
衛星電波受信モジュール２４は、測位衛星からの電波、ここでは、少なくともＧＮＳＳ（Global Navigation Satellite System）に係る測位衛星（ＧＮＳＳ衛星）からの電波を捕捉、受信して復調し、時刻を取得したり測位を行ったりすることが可能なモジュール（衛星電波受信ＬＳＩ（Large Scale Integration））である。測位衛星からの電波には、測位衛星で計時されている時刻情報が含まれている。衛星電波受信モジュール２４は、図示略のアンテナを有し、サブマイコン２１（サブＣＰＵ２１１）の制御に基づいて電波（ＧＮＳＳ衛星では、例えば１．５７５４２ＧＨｚ（ＧＰＳ（Global Positioning System）のＬ１帯））の電波を受信して逆スペクトラム拡散を行い、航法メッセージを取得、解読する。また、衛星電波受信モジュール２４は、航法メッセージの取得、解読結果に基づいて測位演算を行う。得られた日時や現在位置は、所定のフォーマットにより出力される。
なお、衛星電波受信モジュール２４は、ＧＮＳＳ方式以外の方式の測位衛星から電波を受信して時刻取得や測位を行う構成としてもよい。
【００３４】
衛星電波受信モジュール２４は、メモリ２４１を備え、動作に必要な一時データを記憶する。メモリ２４１は、ＳＲＡＭ（Static RAM）などの揮発性メモリであり、動作時には、時刻情報取得、測位動作に必要な実行制御プログラム（ファームウェア）、各測位衛星の航法メッセージのフォーマット情報、各測位衛星などから取得された軌道情報（エフェメリス、アルマナク）が記憶される。メモリ２４１は、衛星電波受信モジュール２４の受信動作部の動作が停止された場合でも動作を維持させておくことが可能であるが、メモリ２４１の動作を停止させて再起動させた場合には、これらのうち少なくとも一部（ファームウェアなど）をサブマイコン２１の記憶部２１３から再取得されるようになっている。衛星電波受信モジュール２４は、測位に必要な数の測位衛星からの電波を捕捉し、各々エフェメリスを取得した後、継続的に測位演算を行って現在位置を求めることができる。
【００３５】
スイッチ２５は、メインマイコン１１が休止モードとされている場合にこのメインマイコン１１を再起動させる所定のユーザ操作を受け付けるオンスイッチである。スイッチ２５は、専用で設けられていてもよいし、押しボタンスイッチＢ１と併用されてもよい。
【００３６】
報知部２６は、音声出力部、振動部などにより構成され、現在時刻がアラーム時刻になった旨をアラーム音出力、振動により報知する。
【００３７】
ＰＭＩＣ３１は、外部電源端子３２を介して外部電源から入力される電源電力、又は２次電池３４から入力される電源電力を用いてメインマイコン１１及びサブマイコン２１への電力供給を制御する。ＰＭＩＣ３１は、例えば、メインマイコン１１及びサブマイコン２１への電力出力可否の切り替えスイッチや、出力電圧などを調整するＤＣ／ＤＣコンバータなどを備え、メインマイコン１１やサブマイコン２１の動作時に適切な電力をこれらに供給する。
【００３８】
外部電源端子３２は、外部電源のコネクタの入力端子である。外部電源としては、商用電源の交流を直流に変換するＡＣ（Alternative Current）アダプタや、ＰＣ（Personal Computer）などの外部に電源電力を供給可能な外部機器である。外部電源端子３２と外部電源との間に接続されるケーブルのコネクタは、例えば、ＵＳＢ（Universal Serial Bus）方式のものとするが、特に限定されるものではない。
【００３９】
充電制御部３３は、外部電源端子３２を介して外部電源から入力された電源電力を２次電池３４に出力して、２次電池３４の充電を制御する回路部である。特に、充電制御部３３は、後述する第１の充電制御処理を実行する。また、充電制御部３３は、２次電池３４の電池電圧（端子電圧）、２次電池３４への電池電流（充電電流）を取得する。また、充電制御部３３は、メインマイコン１１及びサブマイコン２１に接続され、動作モード時に計時部１１４で計時されている現在時刻情報をメインマイコン１１から取得し、休止モード時にＲＴＣ２１４で計時されている現在時刻情報をサブマイコン２１から取得する。また、充電制御部３３は、温度計測部３５に接続され、温度計測部３５により計測された２次電池３４の温度情報を温度計測部３５から取得する。
【００４０】
また、充電制御部３３は、半導体メモリなどのメモリ（図示略）を有する。充電制御部３３のメモリには、各種データ（後述するアラーム時刻、第１所定時間、第２所定時間、満充電判別用の電流値の閾値、定電圧の低下の所定量、再充電のトリガとなる第１の閾電圧など）が記憶される。
【００４１】
充電制御部３３は、第１の充電制御処理の機能が組み込まれた回路部として説明するが、これに限定されるものではない。例えば、充電制御部３３は、第１の充電制御処理のプログラムなどが記憶された記憶部、ＲＡＭ及びＣＰＵを有するマイコンとして構成されてもよく、他のマイコン（例えばサブマイコン２１）の一部として構成されてもよい。
【００４２】
２次電池３４は、リチウムイオン充電池などの充電及び放電が可能な２次電池である。２次電池３４は、充電制御部３３から入力される電源電力としての充電電流により充電され、また蓄積された電力をスマートウォッチ１００の各部の動作電流としてＰＭＩＣ３１に放電する。
【００４３】
温度計測部３５は、温度センサであり、２次電池３４の温度を計測し、計測した温度を温度情報として充電制御部３３に出力する。
【００４４】
次に、図３〜図５を参照して、スマートウォッチ１００における２次電池３４の充電に関する動作を説明する。図３は、第１の充電制御処理を示すフローチャートである。図４は、第１の充電制御処理における予定時間が長く急速充電を行わない場合の経過時間に対する充電の状態を示す図である。図５（ａ）は、第１の充電制御処理の満充電後の経過時間に対する電池電圧、電池電流及び温度を示す図である。図５（ｂ）は、従来の充電の満充電後の経過時間に対する電池電圧、電池電流及び温度を示す図である。
【００４５】
図３を参照して、充電制御部３３により実行される第１の充電制御処理を説明する。予め、メインＣＰＵ１１１は、操作受付部１３を介して、ユーザからのアラーム時刻の設定入力を受け付け、入力されたアラーム時刻を、記憶部１１３、記憶部２１３及び充電制御部３３のメモリに記憶する。アラーム時刻とは、ユーザが２次電池３４を充電完了（満充電）させる目標の日時情報である。例えば、ユーザが夜寝ている間にスマートウォッチ１００の充電を完了させ、起床した後にスマートウォッチ１００を使用する場合に、アラーム時刻として、起床時刻が設定入力される。また、２次電池３４の充電中（充電モード中）において、スマートウォッチ１００は、動作モード又は休止モードがとられる。
【００４６】
スマートウォッチ１００において、例えば、外部電源端子３２に外部電源のコネクタが接続され、入力された電源電力の電圧を検出したことをトリガとして、充電制御部３３は、第１の充電制御処理を実行する。また、例えば、外部電源端子３２から外部電源のコネクタが接続解除され、入力された電源電力の電圧を検出しなくなったことをトリガとして、第１の充電制御処理が適宜終了される。なお、スマートウォッチ１００において、外部電源端子３２に外部電源のコネクタが接続又は接続解除されたことを機械的に検出する構成としてもよい。
【００４７】
図３に示すように、先ず、充電制御部３３は、メインマイコン１１（動作モード時）又はサブマイコン２１（休止モード時）から現在日時情報を充電開始時刻として取得する（ステップＳ１１）。そして、充電制御部３３は、内蔵のメモリからアラーム時刻を読み出して取得し、温度計測部３５から現在の２次電池３４の温度情報を取得する（ステップＳ１２）。
【００４８】
そして、充電制御部３３は、ステップＳ１１，Ｓ１２で取得した情報を用いて、充電の予定時間、２次電池３４の充電量の閾値、充電再開時刻を算出する（ステップＳ１３）。図４に、第１の充電制御処理における予定時間が長く急速充電を行わない場合の充電開始時刻からの経過時間に応じた各種時間及び充電方式を示す。ステップＳ１３において、充電制御部３３は、図４に示すように、ステップＳ１２で取得したアラーム時刻からステップＳ１１で取得した充電開始時刻を減算して、充電の予定時間を算出する。
【００４９】
２次電池３４の充電量は、充電がされていない０％から満充電の１００％までの百分率で表される値である。図４に示すように、充電量の閾値は、予定時間が長く急速充電を行わない場合に、定電流で充電をする目標の２次電池３４の満充電より小さい充電量である。充電量の閾値は、常温では、例えば、７０％に設定される。しかし、２次電池３４の温度が低ければ、同じ電流量の定電流充電でも、２次電池３４の電池電圧は、所定の電圧（例えば、ＣＣＣＶ（Constant Current Constant Voltage：定電流定電圧）充電方式の定電圧）まで早く到達し、温度が高ければ、２次電池３４の電池電圧は、当該所定の電圧まで遅く到達する。なお、ＣＣＣＶ充電方式とは、電池電流を定電流（ＣＣ）として２次電池への充電を開始し、電池電圧が所定の定電圧（ＣＶ）になったところで、当該定電圧で当該２次電池への充電を満充電まで行う充電方式である。なお、ＣＣＣＶ充電方式の充電開始直後の電池電流を、定電流よりも小さい電流値として充電することとしてもよい。
【００５０】
このため、２次電池３４の温度が常温よりも低ければ、その温度に応じて充電量の閾値を常温での閾値から下げるのが好ましく、温度が常温よりも高ければ、その温度に応じて充電量の閾値を常温での閾値から上げるのが好ましい。このようにして、ステップＳ１３において、充電制御部３３は、ステップＳ１２で取得した温度情報から適切な充電量の閾値を算出する。
【００５１】
また、図４に示すように、予定時間が長く急速充電を行わない場合に、定電流で充電した後、２次電池３４の劣化を防ぐために、充電を停止し、アラーム時刻から第２所定時間前に、通常のＣＣＣＶ充電方式で充電を再開する。第２所定時間は、通常のＣＣＣＶ充電方式の充電により、充電量の閾値から２次電池３４を満充電の状態にできる時間であり、例えば、１時間である。ステップＳ１３において、充電制御部３３は、ステップＳ１２で取得した温度情報、算出した充電量の閾値から、第２所定時間を算出し、ステップＳ１２で取得したアラーム時刻から第２所定時間を減算して充電再開時刻を算出する。
【００５２】
そして、充電制御部３３は、内蔵のメモリから第１所定時間を読み出し、ステップＳ１３で算出された予定時間が第１所定時間より短いか否かを判別する（ステップＳ１４）。第１所定時間は、予定時間が急速充電が必要なほど短いか否かを示す閾値であり、例えば、１時間である。
【００５３】
予定時間が第１所定時間より短い場合（ステップＳ１４；ＹＥＳ）、充電制御部３３は、外部電源端子３２を介して外部電源から入力される電源電力を用いて、急速充電方式で２次電池３４を充電する（ステップＳ１５）。急速充電方式は、例えば、ＣＣＣＶ充電方式であるが、通常のＣＣＣＶ充電方式よりも定電流の電流値が高いものとする。定電流の電流値が高いため、電池電圧が定電圧になるまでの充電時間が通常のＣＣＣＶ充電方式よりも短くなり急速に充電できる。急速充電の定電流充電における定電流の電流値は、例えば、数十分などの短時間で充電が完了する程度の電流値とし、２次電池３４の電池容量によっても変わる。
【００５４】
そして、充電制御部３３は、内蔵のメモリから満充電判別用の電流値の閾値を読み出し、２次電池３４の電池電流（充電電流）を参照し、２次電池３４の電池電流が電流値の閾値になって満充電になったか否かを判別する（ステップＳ１６）。２次電池３４の電池電流は、ＣＣＣＶ充電方式の定電流充電では一定で、定電圧充電になった後に下がり続ける。満充電になっていない場合（ステップＳ１６；ＮＯ）、ステップＳ１５に移行される。
【００５５】
満充電になった場合（ステップＳ１６；ＹＥＳ）、充電制御部３３は、２次電池３４への充電を停止する（ステップＳ１７）。予定時間が第１所定時間以上の場合（ステップＳ１４；ＮＯ）、充電制御部３３は、定電流で２次電池３４へ充電する（ステップＳ１８）。ステップＳ１８の定電流の電流値は、例えば、通常のＣＣＣＶ充電方式の定電流の電流値と同じとする。
【００５６】
そして、充電制御部３３は、２次電池３４の電池電圧に対応する充電量が、ステップＳ１３で算出した充電量の閾値であるか否かを判別する（ステップＳ１９）。定電流充電における２次電池３４の充電量は、電池電圧が高くなるほど高くなる。充電量が充電量の閾値でない場合（ステップＳ１９；ＮＯ）、ステップＳ１８に移行される。
【００５７】
充電量が充電量の閾値である場合（ステップＳ１９；ＹＥＳ）、充電制御部３３は、２次電池３４への充電を停止する（ステップＳ２０）。そして、充電制御部３３は、メインマイコン１１又はサブマイコン２１から現在時刻情報を取得して、現在時刻がステップＳ１３で算出された充電再開時刻であるか否かを判別する（ステップＳ２１）。現在時刻が充電再開時刻でない場合（ステップＳ２１；ＮＯ）、ステップＳ２１に移行される。
【００５８】
現在時刻が充電再開時刻である場合（ステップＳ１９；ＹＥＳ）、充電制御部３３は、通常のＣＣＣＶ充電方式で２次電池３４を充電する（ステップＳ２２）。ステップＳ２３は、ステップＳ１６と同様である。満充電になっていない場合（ステップＳ２３；ＮＯ）、ステップＳ２２に移行される。満充電になった場合（ステップＳ２３；ＹＥＳ）、ステップＳ１７に移行され、充電制御部３３は、２次電池３４への充電を停止する。図４に示すように、ステップＳ１８〜Ｓ２３により、定電流の充電→充電量が閾値になった場合に充電停止→所定時刻になった場合に通常のＣＣＣＶ充電方式の充電再開→満充電（充電完了）の処理が順に実行される。
【００５９】
そして、充電制御部３３は、内蔵のメモリから定電圧の低下の所定量を読み出し、ＣＣＣＶ充電方式の定電圧を所定量低下設定する（ステップＳ２４）。ステップＳ２４では、例えば、初期設定の（低下設定前の元の）定電圧を４．３５［Ｖ］とし、後述するように定電圧低下の所定量を０．１［Ｖ］（１００［ｍＶ］）とすると、低下設定された定電圧は、元の定電圧４．３５［Ｖ］から所定量０．１［Ｖ］を減算した４．２５［Ｖ］となる。そして、充電制御部３３は、スマートウォッチ１００の負荷増大による充電開始イベントが発生したか否かを判別する（ステップＳ２５）。
【００６０】
ここで、ステップＳ１７，Ｓ２４〜Ｓ２９における満充電後のスマートウォッチ１００の負荷増大による充電開始イベント発生時の再充電について説明する。２次電池としてのリチウムイオン充電池の充電において、満充電になっても充電を停止せず、充電電圧を印加し続けることにより長期間充電池を高い電圧で保持すると、その時の電池の温度により程度は異なるが、電池の内部で電解質の分解が促進されてガスが発生し、電池の膨れや性能劣化が加速される不具合がある。そのため、リチウムイオン充電池の充電は、ＣＣＣＶ充電方式の定電圧充電過程において充分電池電流が低下したことを検出するか、タイマーなどを使い時間で区切る方法などにより満充電状態を特定して充電過程を終了し、充電回路から充電池への経路を切り離して高い充電電圧が継続して印加されないようにする充電方法が推奨されている。また、満充電による充電過程終了後の再充電は、電圧にヒステリシスを持たせて、ある程度電池電圧が低下した状態で充電を再開することにより高い電池電圧が頻繁に維持されない様にすることも推奨されている。
【００６１】
しかしながら、充電回路として上記充電終了と再充電の推奨された処理を満たす方式をとっていたとしても、外部要因により、充電開始イベントが頻繁に発生すると、結果的に満充電状態での再充電が頻繁に行われ電池電圧が高い状態に維持されてしまうおそれがある。充電開始イベントが頻繁に発生する要因としては以下が挙げられる。
【００６２】
例えば、２次電池を有する製品（機器）がＵＳＢ給電により動作しながら充電電流が供給され充電が行われる場合、対応するＵＳＢポートによって供給できる電流に限りがあるため、その制限を超えない様に充電回路の入力電流を制限する必要がある。製品の負荷増大により動作電流が一時的に上記電流制限を超えて流れる場合はその制限動作によりＵＳＢポートからの供給電流は制限され、そのすべてが製品の動作電流として使われても不足するため、充電が行えず、かつ動作電流の一部も２次電池から供給されるため、その時点で一時的に充電モードから放電モードに移行する。次に動作電流が軽減すると、電流制限が解除され充電が行える状態となるため、充電開始イベントが発生して再度充電モードに移行して充電が行われる。この充電開始イベントが、満充電による充電過程終了後に発生すると、電池電圧が低下する前に再充電が開始されてしまうため、頻繁に発生すると常に電池電圧は高い状態に維持されてしまう。
【００６３】
ステップＳ２５において、充電制御部３３は、スマートウォッチ１００の負荷増大（例えば、無線通信コントローラ１４における無線通信発生）による放電モードから充電モードへの移行により充電開始イベントが発生したか否かを、例えば、ＵＳＢポートから供給される電源系統の電圧の変化により判別する。
【００６４】
負荷増大による充電開始イベントが発生した場合（ステップＳ２５；ＹＥＳ）、充電制御部３３は、２次電池３４の電池電圧がステップＳ２４で低下された定電圧より低いか否かを判別する（ステップＳ２６）。電池電圧が低下された定電圧以上の場合（ステップＳ２６；ＮＯ）、再充電はなされず、ステップＳ２５に移行される。
【００６５】
電池電圧が低下された定電圧より低い場合（ステップＳ２６；ＹＥＳ）、充電制御部３３は、ステップＳ２４で低下された定電圧のＣＣＣＶ充電方式で２次電池３４を再充電する（ステップＳ２７）。ステップＳ２８は、ステップＳ１６，Ｓ２３と同様の処理である。満充電になっていない場合（ステップＳ２８；ＮＯ）、ステップＳ２７に移行される。満充電になった場合（ステップＳ２８；ＹＥＳ）、充電制御部３３は、２次電池３４への再充電を停止し（ステップＳ２９）、ステップＳ２５に移行する。
【００６６】
負荷増大による充電開始イベントが発生していない場合（ステップＳ２５；ＮＯ）、充電制御部３３は、内蔵のメモリから再充電のトリガとなる第１の閾電圧を読み出し、２次電池３４の電池電圧が第１の閾電圧より低いか否かを判別する（ステップＳ３０）。第１の閾電圧は、例えば、その時点での定電圧（低下設定した定電圧４．２５［Ｖ］）から所定量（０．２［Ｖ］）減算した電圧（４．０５［Ｖ］）である。しかし、これに限定されるものではなく、第１の閾電圧が、例えば、元の定電圧（４．３５［Ｖ］）から所定量（０．２［Ｖ］）減算した電圧（４．１５［Ｖ］）であることとしてもよい。このように、元の定電圧＞低下設定した定電圧＞第１の閾電圧の関係にあるものとする。
【００６７】
ステップＳ２５では、負荷増大による充電開始イベントの発生による再充電のトリガを判別していたのに対し、ステップＳ３０では、ステップＳ１７の充電停止後、長時間（例えば、６日間）経過により２次電池３４の充電量が大きく低下した場合に必要な再充電のトリガを判別している。電池電圧が第１の閾電圧以上の場合（ステップＳ３０；ＮＯ）、ステップＳ２５に移行される。
【００６８】
電池電圧が第１の閾電圧より低い場合（ステップＳ３０；ＹＥＳ）、充電制御部３３は、ステップＳ２４で低下された定電圧のＣＣＣＶ充電方式で２次電池３４を再充電する（ステップＳ３１）。ステップＳ３２は、ステップＳ１６，Ｓ２３，Ｓ２８と同様の処理である。満充電になっていない場合（ステップＳ３２；ＮＯ）、ステップＳ３１に移行される。満充電になった場合（ステップＳ３２；ＹＥＳ）、充電制御部３３は、２次電池３４への再充電を停止し（ステップＳ３３）、ステップＳ２５に移行する。
なお、ステップＳ２７，Ｓ３１で低下設定した定電圧のＣＣＣＶ充電方式で２次電池３４を再充電した場合の満充電の電池電圧は、ステップＳ１５及びステップＳ２２における、定電圧を低下設定しない場合の満充電の電池電圧よりも低くなる。
【００６９】
ここで、図５を参照して、負荷増大による充電開始イベントが発生した場合の再充電の具体例を説明する。従来の機器の２次電池の再充電の影響を示した具体例として、従来の機器の２次電池において、２次電池の電池電圧が満充電の電圧ＶＦ１になった後に、ステップＳ１７、Ｓ２５〜Ｓ３３の処理が実行されたものとする。ただし、ステップＳ２６では、充電制御部３３により、２次電池の電池電圧が低下設定していない定電圧より小さいか否かが判別されているものとする。図５（ｂ）は、横軸に経過時間［分］をとり、縦軸に２次電池の電池電圧［Ｖ］、電池電流［ｍＡ］、室温の温度［℃］をとっている。２次電池の電池電圧を一点鎖線で表し、２次電池の電池電流を破線で表し、室温の温度を実線で表している。
【００７０】
図５（ｂ）の電池電圧に示すように、満充電による定電圧の充電過程終了後も、製品の一時的な負荷増大による動作電流増加による再充電が発生して、頻繁にパルス的な充電電流が発生している。それに同期して電池電圧も上昇しており、平均電圧も徐々に上昇し高い電圧が継続して印加されていることがわかる。
【００７１】
これに対し、本実施の形態のスマートウォッチ１００は、上記問題点を解決するために、満充電による充電過程終了時に、ステップＳ２４で定電圧を低く設定しなおすことにより、仮にステップＳ２５で充電開始イベントが発生してステップＳ２７の再充電が起こっても、電池電圧が上昇することを防止する充電方法である。
【００７２】
一般に、リチウムイオン電池の充電において満充電後の電池電圧は、継続した充電電圧の印加も無く、負荷電流もない解放状態では充電終了時の定電圧から徐々に電圧が低下して、数時間後には３０〜５０［ｍＶ］低下した電圧（一般的にはリラックス状態などと呼ばれている）に落ち着く。電池の開発においては、この電圧低下を見越した設計や評価を行って充電時の定電圧の使用できる上限を決定している。
【００７３】
よって、本実施の形態のステップＳ２４における満充電による充電過程終了時に定電圧低く設定し直す電圧は、上記３０〜５０［ｍＶ］低下した電圧を目安に、その電圧を超えない様に設定する。例えば、定電圧が所定量１００［ｍＶ］＝０．１［Ｖ］低下設定される。こうすることで仮に充電開始イベントが発生（ステップＳ２５；ＹＥＳ）して再充電が起こっても、電池電圧は上記低下した電圧を超えて上昇することを防止できる。
【００７４】
図５（ａ）は、本実施の形態の具体例として、スマートウォッチ１００の２次電池３４において、電池電圧が満充電の電圧ＶＦ０になった後に、ステップＳ１７、Ｓ２４〜Ｓ３３の処理が実行されたものとする。図５（ａ）の２次電池３４の電池電圧、電池電流及び室温の表現は、図５（ｂ）と同様である。ここでステップＳ１７以前のＣＣＣＶ充電方式の定電圧を４．３５［Ｖ］とし、ステップＳ２４で定電圧が４．２５［Ｖ］に低下設定されたものとする。すると、図５（ａ）に示すように、スマートウォッチ１００の一時的な負荷増大による充電開始イベント発生による動作電流増加は、図５（ｂ）の測定時と同様に発生しているが、電池電圧が低下設定された定電圧以上のため、図５（ａ）からも明らかなように、ステップＳ２７が実行されなく充電電流が流れず、電池電圧も上昇することが抑えられている。
【００７５】
また、充電モードの休止モードである場合に、第１の充電制御処理と並行して、サブマイコン２１は、ＲＴＣ２１４により計時された現在時刻情報が記憶部２１３に記憶されたアラーム時刻になったか否かを判別し、アラーム時刻になった場合に、現在時刻がアラーム時刻になった旨を、第２表示部２２の表示及び報知部２６の音出力、振動により報知する。充電モードの動作モードである場合に、第１の充電制御処理と並行して、メインマイコン１１は、計時部１１４により計時された現在時刻情報が記憶部１１３に記憶されたアラーム時刻になったか否かを判別し、アラーム時刻になった場合に、現在時刻がアラーム時刻になった旨を、第１表示部１２の表示及び報知部２６の音出力、振動により報知する。
【００７６】
なお、充電モードの休止モードである場合に、サブマイコン２１は、現在時刻がアラーム時刻であるか否かを判別し、現在時刻がアラーム時刻になった場合に、メインマイコン１１を起動し、メインマイコン１１が、現在時刻がアラーム時刻になった旨を、第１表示部１２の表示及び報知部２６の音出力、振動により報知する構成としてもよい。この構成では、報知部２６がメインマイコン１１に接続されている構成としてもよい。
【００７７】
以上、本実施の形態によれば、スマートウォッチ１００は、２次電池３４を有するスマートウォッチ１００の使用状態を取得し、取得したスマートウォッチ１００の使用状態に基づいて、２次電池３４への充電方式を制御する充電制御部３３を備える。このため、２次電池３４を有するスマートウォッチ１００において、ユーザにとって適切な充電方式で２次電池３４を充電できる。
【００７８】
充電制御部３３は、２次電池３４への充電開始時刻を取得し、アラームに設定されているアラーム時刻を取得し、２次電池３４への充電方式を制御する。充電制御部３３は、取得した２次電池３４への充電開始時刻から、取得したアラーム時刻までの時間に基づいて、２次電池３４への充電方式を制御する。このため、アラーム時刻に基づくスマートウォッチ１００の使用状態に応じて、適切な充電方式で２次電池３４を充電できる。
【００７９】
また、充電制御部３３は、取得した２次電池３４への充電開始時刻から取得したアラーム時刻までの時間が第１所定時間より短い場合、急速充電方式で２次電池３４を充電する。このため、アラーム時刻までに、急速充電方式により２次電池３４を急速に充電できる。
【００８０】
また、充電制御部３３は、取得した２次電池３４への充電開始時刻から取得したアラーム時刻までの時間が第１所定時間以上の場合、急速充電方式とは異なる充電方式で２次電池３４を充電する。このため、急速充電方式よりも電池の劣化が少ない充電方式により２次電池３４の劣化を低減できるとともに、アラーム時刻までに、２次電池３４を充電できる。
【００８１】
また、急速充電方式とは異なる充電方式は、満充電より小さい充電量の充電状態を保ち、その後、所定時刻に満充電とする充電方式である。充電制御部３３は、取得した２次電池３４への充電開始時刻から取得したアラーム時刻までの時間が第１所定時間以上の場合、満充電より小さい充電量の充電状態を保ち、その後、所定時刻に満充電となるように２次電池３４を充電する。このため、２次電池３４の満充電の時間を低減して、２次電池３４の劣化を低減できる。
【００８２】
また、所定時刻は、アラーム時刻である。充電制御部３３は、取得した２次電池３４への充電開始時刻から取得したアラーム時刻までの時間が第１所定時間以上の場合、満充電より小さい充電量の充電状態を保ち、その後、アラーム時刻に満充電となるように２次電池３４を充電する。このため、２次電池３４の満充電の時間を低減して、２次電池３４の劣化を低減できるとともに、アラーム時刻までに、２次電池３４を満充電まで確実に充電できる。
【００８３】
また、充電制御部３３は、取得した２次電池３４への充電開始時刻から取得したアラーム時刻までの時間が第１所定時間以上の場合、満充電より小さい充電量の充電状態をアラーム時刻の第２所定時間前までの充電再開時刻まで保ち、その後、アラーム時刻に満充電となるように２次電池３４を充電する。このため、２次電池３４の満充電の時間を低減して、２次電池３４の劣化を効果的に低減できる。
【００８４】
また、充電制御部３３は、取得した２次電池３４への充電開始時刻から取得したアラーム時刻までの時間が第１所定時間以上の場合、満充電より小さい充電量まで２次電池３４を充電し、アラーム時刻の第２所定時間前までの時刻まで充電を停止し、その後、アラーム時刻に満充電となるように２次電池３４を充電する。このため、充電停止時間により、２次電池３４の劣化をより効果的に低減できる。
【００８５】
また、アラーム時刻は、起床アラーム時刻である。このため、ユーザが、起床した時に、２次電池３４が満充電されたスマートウォッチ１００を使用できる。
【００８６】
また、急速充電方式を用いる場合及び予定時間が第１所定時間以上の場合に、充電制御部３３は、２次電池３４を定電流で充電し、２次電池３４の電池電圧が所定の定電圧になった場合に、満充電まで当該定電圧で充電する（ＣＣＣＶ充電方式）。このため、２次電池３４を満充電まで適切に充電できる。
【００８７】
また、充電制御部３３は、満充電後に定電圧を低下設定する。このため、外部電源で充電と動作を同時に行う製品としてのスマートウォッチ１００において、一時的なスマートウォッチ１００の動作電流が外部電源の供給能力を超えて発生しても、再充電による電池電圧の上昇が無くなり、電池の劣化を抑えることが可能となるため、外部電源の制約を緩和できる。よって、外部電源の供給能力を超えた動作電流を持つ製品（スマートウォッチ１００）を実現できる。
【００８８】
また、充電制御部３３は、満充電後に充電を停止し、定電圧を低下設定する。このため、外部電源の供給能力を超えた動作電流を持つスマートウォッチ１００を実現できるとともに、充電の停止により、２次電池３４の劣化を防ぎ、充電電力を節約できる。
【００８９】
また、充電制御部３３は、定電圧を低下設定した後、２次電池３４の電池電圧が低下設定した定電圧よりも低い第１の閾電圧になった場合に、定電流で２次電池３４を再充電し、２次電池３４の電池電圧が低下設定した定電圧になった場合に、満充電まで低下設定した定電圧で２次電池３４を充電する。このため、満充電後の充電の停止後に、長時間経過して２次電池３４の充電量が低下した場合に適切に再充電でき、２次電池３４の充電量を、スマートウォッチ１００の使用に好ましい状態にできる。
【００９０】
（変形例１）
図６及び図７を参照して、上記実施の形態の変形例１を説明する。本変形例１の装置構成は、上記実施の形態と同様に、スマートウォッチ１００を用いる。ただし、充電制御部３３は、第１の充電制御処理に代えて、後述する第２の充電制御処理を実行する構成とする。
【００９１】
次に、図６及び図７を参照して、スマートウォッチ１００の２次電池３４の充電に関する動作を説明する。図６は、第２の充電制御処理を示すフローチャートである。図７は、第２の充電制御処理における予定時間が長く急速充電を行わない場合の経過時間に対する充電の状態を示す図である。
【００９２】
スマートウォッチ１００において、例えば、外部電源端子３２に外部電源のコネクタが接続され、入力された電源電力の電圧を検出したことをトリガとして、充電制御部３３は、第２の充電制御処理を実行する。また、例えば、外部電源端子３２から外部電源のコネクタが接続解除され、入力された電源電力の電圧を検出しなくなったことをトリガとして、第２の充電制御処理が適宜終了される。
【００９３】
図６に示すように、ステップＳ４１，Ｓ４２は、図３の第１の充電制御処理のステップＳ１１，Ｓ１２と同様である。そして、充電制御部３３は、ステップＳ４１，Ｓ４２で取得した情報を用いて、充電の予定時間、２次電池３４の充電量の閾値、充電方式変更迄の定電流値を算出する（ステップＳ４３）。ステップＳ４３において、充電制御部３３は、第１の充電制御処理と同様にして、充電の予定時間及び２次電池３４の充電量の閾値を算出する。
【００９４】
図７に、第２の充電制御処理における予定時間が長く急速充電を行わない場合の充電開始時刻からの経過時間に応じた各種時間及び充電方式を示す。第２の充電制御処理において、予定時間が長く急速充電を行わない場合に、充電開始時刻から、アラーム時刻の第２所定時間前迄に定電流充電が行われ、その後充電方式が通常のＣＣＣＶ充電方式に変更される。第２の充電制御処理の最初の定電流充電の時間は、第１の充電制御処理の最初の定電流充電の時間よりも、充電停止がない分、長くなる。
【００９５】
このため、ステップＳ４３において、充電制御部３３は、充電方式変更迄の定電流値として、アラーム時刻の第２所定時間前に２次電池３４の充電量が算出した閾値となるような、例えば、通常のＣＣＣＶ充電方式の定電流の電流値よりも低い電流値を算出する。
【００９６】
ステップＳ４４〜Ｓ４７は、図３のステップＳ１４〜Ｓ１７と同様である。予定時間が第１所定時間以上の場合（ステップＳ４４；ＮＯ）、充電制御部３３は、ステップＳ４３で算出された電流値の定電流で２次電池３４を充電する（ステップＳ４８）。
【００９７】
ステップＳ４９，Ｓ５０，Ｓ５１は、図３のステップＳ１９，Ｓ２２，Ｓ２３と同様である。そして、ステップＳ５２〜Ｓ６１は、図３のステップＳ２４〜Ｓ３３と同様である。
【００９８】
以上、本変形例１によれば、充電制御部３３は、取得した２次電池３４への充電開始時刻から取得したアラーム時刻までの時間が第１所定時間以上の場合、アラーム時刻の第２所定時間前までの充電方式変更の時刻まで満充電より小さい充電量まで２次電池３４を定電流で充電し、その後、アラーム時刻に満充電となるように２次電池３４を充電する。このため、低い定電流の充電により、２次電池３４の劣化をより効果的に低減できる。
【００９９】
（変形例２）
図８を参照して、上記実施の形態の変形例２を説明する。図８は、第３の充電制御処理を示すフローチャートである。
【０１００】
上記実施の形態の図３の第１の充電制御処理のステップＳ２４〜Ｓ３３、及び変形例１の図６の第２の充電制御処理のステップＳ５２〜Ｓ６１においては、低下設定した定電圧のＣＣＣＶ充電方式で２次電池３４を再充電するため、満充電の電池電圧は、定電圧を低下設定しない場合の満充電の電池電圧よりも低くなる。
本変形例２においては、図３のステップＳ２４〜Ｓ３３、及び図６のステップＳ５２〜Ｓ６１に替えて、図８の第３のステップＳ７１〜Ｓ８２を実行することにより、充電停止後の再充電において、満充電の電池電圧が、定電圧を低下設定しない場合の満充電の電池電圧となるようにするものである。
【０１０１】
ここで、図８を参照して、スマートウォッチ１００の２次電池３４の充電に関する動作として、第３の充電制御処理を説明する。予め、充電制御部３３の内蔵メモリには、第１閾の電圧に加えて、第２の閾電圧が記憶されているものとする。本変形例２において、第１の閾電圧は、例えば、初期設定の（元の）定電圧（４．３５［Ｖ］）−所定値（０．２［Ｖ］）の値（４．１５［Ｖ］）とする。第２の閾電圧は、元の定電圧よりも低くかつ低下設定した定電圧よりも高い電圧値とし、例えば４．２７［Ｖ］とする。つまり、元の定電圧（４．３５［Ｖ］）＞第２の閾電圧（４．２７［Ｖ］）＞低下設定した定電圧（４．２５［Ｖ］）＞第１の閾電圧（４．１５［Ｖ］）の関係にある。
【０１０２】
スマートウォッチ１００において、例えば、外部電源端子３２に外部電源のコネクタが接続され、入力された電源電力の電圧を検出したことをトリガとして、充電制御部３３は、第３の充電制御処理を実行する。また、例えば、外部電源端子３２から外部電源のコネクタが接続解除され、入力された電源電力の電圧を検出しなくなったことをトリガとして、第３の充電制御処理が適宜終了される。
【０１０３】
図８に示すように、第３の充電制御処理において、開始後のステップは、図３のステップＳ１１〜Ｓ１７、又は図６のステップＳ４１〜Ｓ４７と同様である。ステップＳ７１は、図３のステップＳ２４と同様である。
【０１０４】
そして、充電制御部３３は、内蔵のメモリから再充電のトリガとなる第２の閾電圧を読み出し、２次電池３４の電池電圧が第２の閾電圧より低いか否かを判別する（ステップＳ７２）。２次電池３４の電池電圧が第２の閾電圧より低い場合（ステップＳ７２；ＹＥＳ）、充電制御部３３は、ステップＳ７１で所定量低下された定電圧を元の値の定電圧に戻す（ステップＳ７３）。ステップＳ７３の後、又は２次電池３４の電池電圧が第２の閾電圧以上の場合（ステップＳ７２；ＮＯ）、ステップＳ７４に移行される。ステップＳ７４は、図３のステップＳ２５と同様である。
【０１０５】
負荷増大による充電開始イベントが発生した場合（ステップＳ７４；ＹＥＳ）、充電制御部３３は、２次電池３４の電池電圧が現在設定中の定電圧（ステップＳ７１で低下設定された定電圧又はステップＳ７３で戻された元の定電圧）より低いか否かを判別する（ステップＳ７５）。電池電圧が設定中の定電圧以上の場合（ステップＳ７５；ＮＯ）、再充電はなされず、ステップＳ７２に移行される。
【０１０６】
電池電圧が設定中の定電圧より低い場合（ステップＳ７５；ＹＥＳ）、充電制御部３３は、設定中の定電圧のＣＣＣＶ充電方式で２次電池３４を再充電する（ステップＳ７６）。ステップＳ７７，Ｓ７８は、図３のステップＳ２８，Ｓ２９と同様である。ステップＳ７８の後、ステップＳ７１に移行される。
【０１０７】
負荷増大による充電開始イベントが発生していない場合（ステップＳ７４；ＮＯ）、ステップＳ７９に移行される。ステップＳ７９〜Ｓ８２は、図３のステップＳ３０〜Ｓ３３と同様である。電池電圧が第１の閾電圧以上の場合（ステップＳ７９；ＮＯ）、ステップＳ７２に移行される。ステップＳ８２の後、ステップＳ７１に移行される。
【０１０８】
第３の充電制御処理では、２次電池３４が満充電されステップＳ１７又はＳ４７で充電停止された後、一旦定電圧が低下設定され、時間経過により２次電池３４の電池電圧が第２の閾電圧まで下がると、定電圧が元の定電圧に設定される。このようにして、ステップＳ８０で元の定電圧のＣＣＣＶ充電方式で２次電池３４を再充電した場合の満充電の電池電圧は、ステップＳ１５及びＳ２２（又はステップＳ４５及びＳ５０）における、満充電の電池電圧と同じになる。
【０１０９】
以上、本変形例２によれば、充電制御部３３は、定電圧を低下設定した後、２次電池３４の電池電圧が低下設定した定電圧よりも低い第１の閾電圧よりも高い第２の閾電圧になった場合に、低下設定した定電圧を元の定電圧に戻す。このため、最初の満充電後に、時間経過により２次電池３４の電池電圧が第１の閾電圧まで下がる前に、元の定電圧に戻すことができる。
【０１１０】
また、充電制御部３３は、低下設定した定電圧を元の定電圧に戻した後、２次電池３４の電池電圧が第１の閾電圧になった場合に、定電流で２次電池３４を再充電し、２次電池３４の電池電圧が元の定電圧になった場合に、満充電まで元の定電圧で２次電池３４を充電する。このため、時間経過により電池電圧が低下した２次電池３４を元の定電圧まで再充電でき、充電量の大きな２次電池３４を得ることができる。
【０１１１】
また、第２の閾電圧は、元の定電圧より低く、かつ低下設定した定電圧よりも高い。このため、最初の満充電後に、時間経過により２次電池３４の電池電圧が低下設定した定電圧まで下がる前に、元の定電圧に確実に戻すことができる。
【０１１２】
なお、上記実施の形態及び変形例における記述は、本発明に係る充電制御装置、充電制御方法及びプログラムの一例であり、これに限定されるものではない。
【０１１３】
例えば、上記実施の形態では、第１の充電制御処理のステップＳ１８において、予定時間が第１所定時間以上の場合に、２次電池３４の充電量が閾値となるまで、２次電池３４を定電流充電する構成としたが、これに限定されるものではない。例えば、ステップＳ１８で、ＣＣＣＶ充電方式で２次電池３４を充電する構成としてもよい。ただし、２次電池３４の充電量は、定電流充電時には電池電圧に基づき、定電圧充電時には定電圧充電の時間に基づく。
【０１１４】
また、上記実施の形態及び変形例では、機器としてのスマートウォッチ１００が充電制御部３３を有する構成としたが、これに限定されるものではない。例えば、ＡＣアダプタや外部機器など、スマートウォッチ１００の外部電源が、充電制御部３３と同様の充電制御部を有する構成としてもよい。外部電源の充電制御部は、充電制御部３３と同様の機能を有し、スマートウォッチ１００内のメインマイコン１１、サブマイコン２１と通信を行い、２次電池３４を充電制御する。
【０１１５】
また、充電池（２次電池３４）を有する機器は、スマートウォッチ１００に限定されるものではない。充電池を有する機器は、スマートフォン、フィーチャーフォン、タブレットＰＣ、パームトップＰＣ、ハンディターミナルなど、他の機器としてもよい。
【０１１６】
また、上記実施の形態及び変形例におけるスマートウォッチ１００の各構成要素の細部構成及び細部動作に関しては、本発明の趣旨を逸脱することのない範囲で適宜変更可能であることは勿論である。
【０１１７】
本発明の実施の形態及び変形例を説明したが、本発明の範囲は、上述の実施の形態及び変形例に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
充電池を有する機器の使用状態を取得する使用状態取得手段と、
前記使用状態取得手段が取得した前記機器の使用状態に基づいて、前記充電池への充電方式を制御する充電制御手段と、
を備えたことを特徴とする充電制御装置。
＜請求項２＞
前記使用状態取得手段は、
前記充電池への充電開始時刻を取得する第１の時刻取得手段と、
前記機器のアラームに設定されているアラーム時刻を取得する第２の時刻取得手段と、を備え、
前記充電制御手段は、前記第１の時刻取得手段が取得した前記充電池への充電開始時刻から前記第２の時刻取得手段が取得したアラーム時刻までの時間に基づいて、前記充電池への充電方式を制御する、
ことを特徴とする請求項１に記載の充電制御装置。
＜請求項３＞
前記充電制御手段は、前記第１の時刻取得手段が取得した前記充電池への充電開始時刻から前記第２の時刻取得手段が取得したアラーム時刻までの時間が第１所定時間より短い場合、第１の充電方式で前記充電池を充電する、
ことを特徴とする請求項２に記載の充電制御装置。
＜請求項４＞
前記充電制御手段は、前記第１の時刻取得手段が取得した前記充電池への充電開始時刻から前記第２の時刻取得手段が取得したアラーム時刻までの時間が前記第１所定時間以上の場合、第２の充電方式で前記充電池を充電する、
ことを特徴とする請求項３に記載の充電制御装置。
＜請求項５＞
前記第１の充電方式は急速充電方式であり、
前記充電制御手段は、前記第１の時刻取得手段が取得した前記充電池への充電開始時刻から前記第２の時刻取得手段が取得したアラーム時刻までの時間が前記第１所定時間より短い場合、前記急速充電方式で前記充電池を充電する、
ことを特徴とする請求項３又は４に記載の充電制御装置。
＜請求項６＞
前記第２の充電方式は、満充電より小さい充電量の充電状態を保ち、その後、所定時刻に満充電とする充電方式であり、
前記充電制御手段は、前記第１の時刻取得手段が取得した前記充電池への充電開始時刻から前記第２の時刻取得手段が取得したアラーム時刻までの時間が前記第１所定時間以上の場合、満充電より小さい充電量の充電状態を保ち、その後、所定時刻に満充電となるように前記充電池を充電する、
ことを特徴とする請求項４に記載の充電制御装置。
＜請求項７＞
前記所定時刻は前記アラーム時刻であり、
前記充電制御手段は、前記第１の時刻取得手段が取得した前記充電池への充電開始時刻から前記第２の時刻取得手段が取得したアラーム時刻までの時間が前記第１所定時間以上の場合、満充電より小さい充電量の充電状態を保ち、その後、前記アラーム時刻に満充電となるように前記充電池を充電する、
ことを特徴とする請求項６に記載の充電制御装置。
＜請求項８＞
前記充電制御手段は、前記第１の時刻取得手段が取得した前記充電池への充電開始時刻から前記第２の時刻取得手段が取得したアラーム時刻までの時間が前記第１所定時間以上の場合、満充電より小さい充電量の充電状態を前記アラーム時刻の第２所定時間前までの時刻まで保ち、その後、前記アラーム時刻に満充電となるように前記充電池を充電する、
ことを特徴とする請求項７に記載の充電制御装置。
＜請求項９＞
前記充電制御手段は、前記第１の時刻取得手段が取得した前記充電池への充電開始時刻から前記第２の時刻取得手段が取得したアラーム時刻までの時間が前記第１所定時間以上の場合、満充電より小さい充電量まで前記充電池を充電し、前記アラーム時刻の第２所定時間前までの時刻まで充電を停止し、その後、前記アラーム時刻に満充電となるように前記充電池を充電する、
ことを特徴とする請求項８に記載の充電制御装置。
＜請求項１０＞
前記充電制御手段は、前記第１の時刻取得手段が取得した前記充電池への充電開始時刻から前記第２の時刻取得手段が取得したアラーム時刻までの時間が前記第１所定時間以上の場合、前記アラーム時刻の第２所定時間前までの時刻まで満充電より小さい充電量まで前記充電池を定電流で充電し、その後、前記アラーム時刻に満充電となるように前記充電池を充電する、
ことを特徴とする請求項８に記載の充電制御装置。
＜請求項１１＞
前記アラーム時刻は起床アラーム時刻である、
ことを特徴とする請求項２から１０のいずれか一項に記載の充電制御装置。
＜請求項１２＞
前記充電制御手段は、定電流で前記充電池を充電し、前記充電池の電池電圧が所定の定電圧になった場合に、満充電まで前記定電圧で前記充電池を充電する、
ことを特徴とする請求項１から１１のいずれか一項に記載の充電制御装置。
＜請求項１３＞
前記充電制御手段は、満充電後に前記定電圧を低下設定する、
ことを特徴とする請求項１２に記載の充電制御装置。
＜請求項１４＞
前記充電制御手段は、満充電後に充電を停止し、前記定電圧を低下設定する、
ことを特徴とする請求項１３に記載の充電制御装置。
＜請求項１５＞
前記充電制御手段は、前記定電圧を低下設定した後、前記充電池の電池電圧が前記低下設定した定電圧よりも低い第１の閾電圧になった場合に、前記定電流で前記充電池を再充電し、前記充電池の電池電圧が前記低下設定した定電圧になった場合に、満充電まで前記低下設定した定電圧で前記充電池を充電する、
ことを特徴とする請求項１３又は１４に記載の充電制御装置。
＜請求項１６＞
前記充電制御手段は、前記定電圧を低下設定した後、前記充電池の電池電圧が前記低下設定した定電圧よりも低い第１の閾電圧よりも高い第２の閾電圧になった場合に、前記低下設定した定電圧を前記定電圧に戻す、
ことを特徴とする請求項１３又は１４に記載の充電制御装置。
＜請求項１７＞
前記充電制御手段は、前記低下設定した定電圧を前記定電圧に戻した後、前記充電池の電池電圧が第１の閾電圧になった場合に、前記定電流で前記充電池を再充電し、前記充電池の電池電圧が前記定電圧になった場合に、満充電まで前記定電圧で前記充電池を充電する、
ことを特徴とする請求項１６に記載の充電制御装置。
＜請求項１８＞
前記第２の閾電圧は、前記定電圧より低く、且つ、前記低下設定した定電圧よりも高いことを特徴とする請求項１６又は１７に記載の充電制御装置。
＜請求項１９＞
充電池を有する機器の使用状態を取得する使用状態取得工程と、
前記使用状態取得工程が取得した前記機器の使用状態に基づいて、前記充電池への充電方式を制御する充電制御工程と、
を含むことを特徴とする充電制御方法。
＜請求項２０＞
コンピュータを、
充電池を有する機器の使用状態を取得する使用状態取得手段、
前記使用状態取得手段が取得した前記機器の使用状態に基づいて、前記充電池への充電方式を制御する充電制御手段、
として機能させることを特徴とするプログラム。
【符号の説明】
【０１１８】
１  本体部
２  バンド
３  フレーム
４，１２ａ，２２ａ  表示画面
Ｂ１  押しボタンスイッチ
１００ スマートウォッチ
１１  メインマイコン
１１１  メインＣＰＵ
１１２  ＲＡＭ
１１３  記憶部
１１４  計時部
１２  第１表示部
１３  操作受付部
１４  無線通信コントローラ
１５  外部記憶部
２１  サブマイコン
２１１  サブＣＰＵ
２１２  ＲＡＭ
２１３  記憶部
２１４  ＲＴＣ
２１５  バッファメモリ
２２  第２表示部
２３  計測部
２４  衛星電波受信モジュール
２４１  メモリ
２５  スイッチ
２６  報知部
３１  ＰＭＩＣ
３２  外部電源端子
３３  充電制御部
３４  ２次電池
３５  温度計測部
【図１】
2019004534.tif 000003
【図２】
2019004534.tif 000004
【図３】
2019004534.tif 000005
【図４】
2019004534.tif 000006
【図５】
2019004534.tif 000007
【図６】
2019004534.tif 000008
【図７】
2019004534.tif 000009
【図８】
2019004534.tif 000010